(57)【要約】【課題】コストと設置スペースを節約する充放電器とこれを用いた電源装置を提供すること。【解決手段】整流器２は商用電源１から入力した交流電力を直流電力に変換して負荷５へ給電し、降圧回路６と切替回路７から構成される充放電器４は、商用電源１が有効であるとき整流器２が出力する電力を入力して組電池３を充電し、商用電源１の停電時には組電池３が出力する電力を入力して負荷５へ給電し、降圧回路６は、スイッチング素子１０、リアクトル１１、コンデンサ１２、ダイオード１３、制御部１４により構成され、制御部１４からスイッチング素子１０へのＰＷＭ（Pulse  Width  Modulation：パルス幅変調）信号によるスイッチング動作により、入力した電力を降圧して出力することを特徴とする、充放電器を用いた電源装置を構成する。【選択図】図１
2009148110.tif 000002
【特許請求の範囲】
【請求項１】
降圧手段と、充電時と放電時とで接続を切替える切替手段とを具備する充放電器であって、
充電時には、整流器が交流電力を直流電力に変換して出力する電力を、前記降圧手段を介して、１つ以上の蓄電池を組合わせてなる組電池へ供給して該組電池を充電するように前記切替手段が接続を切替え、
放電時には、前記組電池が出力する電力を前記降圧手段を介して負荷へ供給するように前記切替手段が接続を切替えることを特徴とする充放電器。
【請求項２】
請求項１に記載の充放電器において、
前記降圧手段は、パルス幅変調信号によってスイッチング動作を行うスイッチング素子と、前記降圧手段のプラス側の電路とマイナス側の電路との間にマイナス側の電路からプラス側の電路へ電流を流す向きに挿入されたダイオードと、リアクトルと、前記プラス側の電路と前記マイナス側の電路との間に挿入されたコンデンサと、出力電流が流れる向きに接続されたダイオードとが、この順に接続されて構成され、
入力される電力を降圧制御して出力することを特徴とする充放電器。
【請求項３】
請求項１または２に記載の充放電器において、
前記切替手段による接続の切替は、スイッチング素子によって行われることを特徴とする充放電器。
【請求項４】
請求項３に記載の充放電器において、
前記接続の切替に用いられるスイッチング素子であって、他のスイッチング素子を介さずに前記降圧手段の入力端に接続するスイッチング素子が、前記パルス幅変調信号によるスイッチング動作を行うスイッチング素子の役割を兼ねることを特徴とする充放電器。
【請求項５】
請求項１ないし４のいずれかに記載の充放電器において、
前記降圧手段は、
放電時には、出力電流をあらかじめ定められた第１の電流値以下に制限し、
充電時には、出力電流をあらかじめ定められた第２の電流値以下に制限することを特徴とする充放電器。
【請求項６】
請求項１ないし５のいずれかに記載の充放電器において、
外部信号である充電指令信号を受信しているとき、前記切替手段は充電時の接続状態にあり、
前記充電指令信号を受信していないとき、前記切替手段は放電時の接続状態にあることを特徴とする充放電器。
【請求項７】
請求項１ないし５のいずれかに記載の充放電器において、
前記切替手段が充電時の接続状態にあるときに、外部信号である停電検知信号を受信した場合に、前記切替手段は充電時の接続状態から放電時の接続状態に切替えられることを特徴とする充放電器。
【請求項８】
請求項１ないし７のいずれかに記載の充放電器において、
前記組電池の電圧が、放電終止電圧を下回ったとき、前記降圧手段は前記組電池からの電力出力を停止することを特徴とする充放電器。
【請求項９】
交流電力を直流電力に変換して出力する整流器と、１つ以上の蓄電池を組合わせてなる組電池と、充放電器とを具備し、前記交流電力が有効であるときは前記整流器の出力を負荷に供給する電源装置であって、
前記充放電器が請求項１ないし８のいずれかに記載の充放電器であることを特徴とする、充放電器を用いた電源装置。
【請求項１０】
請求項９に記載の、充放電器を用いた電源装置において、
複数の前記組電池が、それぞれに対となる前記充放電器を介して、前記整流器から前記負荷への電力供給ラインに並列接続されることを特徴とする、充放電器を用いた電源装置。
【発明の詳細な説明】
【技術分野】
【０００１】
本発明は充放電器とこれを用いた電源装置に関し、特に、交流電力を直流電力へ変換して負荷へ供給する、蓄電池を備えて停電時のバックアップとする直流バックアップ電源システムに関する。
【背景技術】
【０００２】
一般に、直流負荷装置へ電力を供給する電源システムでは、商用交流電力を受け、直流４８Ｖなどの直流電力を出力する整流器が用いられている。さらに、商用電力が停電した場合でも負荷装置への給電を継続するために、整流器の出力に蓄電池と、蓄電池を充電するための充電器を備えている。蓄電池を直流電源システムに適用する場合には、通常、単セルと呼ばれる１本の蓄電池を複数個直列にしたものを１つ以上並列接続した組電池を用いる。
【０００３】
下記特許文献１、２には、複数の組電池が出力する電力を放電器を介して負荷に供給する電池システムが記載され、特許文献１には、組電池と放電器中のコンバータとの間の電路が共通導線によって互いに電気的に接続されていることが記載され、特許文献２には、放電器の各動作を、制御部が発信する同一の動作信号に基づいて行わせることが記載されている。
【特許文献１】特開２００７−１４３２６６号公報
【特許文献２】特開２００７−１４３２９１号公報
【発明の開示】
【発明が解決しようとする課題】
【０００４】
整流装置、蓄電池、充電器および放電器を組み合わせた直流バックアップ電源システムを図５に示す。図において、商用電源１の交流電力は整流器２に供給され、整流器２は交流電力を所定の直流電力に変換して負荷５へ供給している。組電池３は、商用電源１が有効であるときは充電器１６を介して充電され、商用電源１の停電時に放電器１７を介して負荷５への放電を行う。負荷５は直流負荷である。商用電源１が有効であるときは整流器２から負荷５への給電が行われ、商用電源１の停電時に組電池３から放電器１７を介して負荷５へ給電を行う。
【０００５】
整流器２の出力電圧を５５Ｖ、組電池３を鉛蓄電池セル（定格２．０Ｖ、２００Ａｈ）を２５セル直列接続してなる組電池（定格５０Ｖ、２００Ａｈ）とする。この鉛蓄電池セルの満充電電圧は２．２Ｖであり、組電池３の満充電電圧は５５Ｖである。充電器１６は、整流器２から入力した電力で組電池３を充電するが、充電電流が過剰にならないように、出力電流を制限する機能を持つ。つまり、充電電流の制限を行うため、このシステムでは専用の充電器が必要となっている。
【０００６】
放電器１７は、整流器２の停止時に組電池３から電力を負荷５へ出力するが、出力電流が過剰にならないように、出力電流の制限を行い、また組電池３が最低使用電圧に達したときは、過放電による劣化を防ぐため組電池３からの放電を停止させる機能を持つ。つまり、放電電流を制限し、組電池３の過放電を防ぐため、このシステムでは放電器が必要である。
【０００７】
以上のように、充電器と放電器とを両方を搭載することによるコストと設置スペースの増加という問題がある。
【０００８】
前記の問題は、鉛蓄電池システムの場合に限らず、ニッケル水素蓄電池やリチウムイオン電池などの二次電池を組み合わせてなる組電池を有する直流バックアップ電源システムにおいても生じる問題である。
【０００９】
本発明は前記の、充電器と放電器とを両方搭載することにより、コストと設置スペースが増加するという問題に鑑みてなされたものであり、本発明が解決しようとする課題は、コストと設置スペースを節約する充放電器とこれを用いた電源装置を提供することにある。
【課題を解決するための手段】
【００１０】
本発明においては、上記課題を解決するために、請求項１に記載のように、
降圧手段と、充電時と放電時とで接続を切替える切替手段とを具備する充放電器であって、充電時には、整流器が交流電力を直流電力に変換して出力する電力を、前記降圧手段を介して、１つ以上の蓄電池を組合わせてなる組電池へ供給して該組電池を充電するように前記切替手段が接続を切替え、放電時には、前記組電池が出力する電力を前記降圧手段を介して負荷へ供給するように前記切替手段が接続を切替えることを特徴とする充放電器を構成する。
【００１１】
また、本発明においては、請求項２に記載のように、
請求項１に記載の充放電器において、前記降圧手段は、パルス幅変調信号によってスイッチング動作を行うスイッチング素子と、前記降圧手段のプラス側の電路とマイナス側の電路との間にマイナス側の電路からプラス側の電路へ電流を流す向きに挿入されたダイオードと、リアクトルと、前記プラス側の電路と前記マイナス側の電路との間に挿入されたコンデンサと、出力電流が流れる向きに接続されたダイオードとが、この順に接続されて構成され、入力される電力を降圧制御して出力することを特徴とする充放電器を構成する。
【００１２】
また、本発明においては、請求項３に記載のように、
請求項１または２に記載の充放電器において、前記切替手段による接続の切替は、スイッチング素子によって行われることを特徴とする充放電器を構成する。
【００１３】
また、本発明においては、請求項４に記載のように、
請求項３に記載の充放電器において、前記接続の切替に用いられるスイッチング素子であって、他のスイッチング素子を介さずに前記降圧手段の入力端に接続するスイッチング素子が、前記パルス幅変調信号によるスイッチング動作を行うスイッチング素子の役割を兼ねることを特徴とする充放電器を構成する。
【００１４】
また、本発明においては、請求項５に記載のように、
請求項１ないし４のいずれかに記載の充放電器において、前記降圧手段は、放電時には、出力電流をあらかじめ定められた第１の電流値以下に制限し、充電時には、出力電流をあらかじめ定められた第２の電流値以下に制限することを特徴とする充放電器を構成する。
【００１５】
また、本発明においては、請求項６に記載のように、
請求項１ないし５のいずれかに記載の充放電器において、外部信号である充電指令信号を受信しているとき、前記切替手段は充電時の接続状態にあり、前記充電指令信号を受信していないとき、前記切替手段は放電時の接続状態にあることを特徴とする充放電器を構成する。
【００１６】
また、本発明においては、請求項７に記載のように、
請求項１ないし５のいずれかに記載の充放電器において、前記切替手段が充電時の接続状態にあるときに、外部信号である停電検知信号を受信した場合に、前記切替手段は充電時の接続状態から放電時の接続状態に切替えられることを特徴とする充放電器を構成する。
【００１７】
また、本発明においては、請求項８に記載のように、
請求項１ないし７のいずれかに記載の充放電器において、前記組電池の電圧が、放電終止電圧を下回ったとき、前記降圧手段は前記組電池からの電力出力を停止することを特徴とする充放電器を構成する。
【００１８】
また、本発明においては、請求項９に記載のように、
交流電力を直流電力に変換して出力する整流器と、１つ以上の蓄電池を組合わせてなる組電池と、充放電器とを具備し、前記交流電力が有効であるときは前記整流器の出力を負荷に供給する電源装置であって、前記充放電器が請求項１ないし８のいずれかに記載の充放電器であることを特徴とする、充放電器を用いた電源装置を構成する。
【００１９】
また、本発明においては、請求項１０に記載のように、
請求項９に記載の、充放電器を用いた電源装置において、複数の前記組電池が、それぞれに対となる前記充放電器を介して、前記整流器から前記負荷への電力供給ラインに並列接続されることを特徴とする、充放電器を用いた電源装置を構成する。
【発明の効果】
【００２０】
本発明に係る充放電器とこれを用いた電源装置によれば、以下のごとき効果を奏することができる。
【００２１】
１つの変換回路が充電器と放電器との両方の機能を持つため、充電器と放電器をそれぞれ搭載する必要がなく、コストとスペースを節約することが可能となる。
【発明を実施するための最良の形態】
【００２２】
本発明に係る充放電器とこれを用いた電源装置においては、例えば、リアクトル、コンデンサ、ダイオード、スイッチング素子により降圧手段である降圧回路を構成し、充電時には降圧回路の入力を整流器出力とし、出力を組電池へ供給し、放電時には降圧回路の入力を組電池出力とし、出力を負荷へ供給する。
【００２３】
以下に、本発明の実施の形態について、蓄電池がニッケル水素蓄電池あるいは鉛蓄電池である場合を例として説明するが、本発明はこれに限られるものではない。
【００２４】
図１は、本発明の実施の形態例を説明する図である。図１において、整流器２は商用電源１から入力した交流電力を直流電力に変換して直流５６Ｖを出力し、負荷５へ給電する。組電池３は、鉛蓄電池セル（定格電圧２．０Ｖ、定格容量２００Ａ）を２５セル直列接続して構成した組電池（定格電圧５０Ｖ、定格容量２００Ａ）である。組電池３は、充電されると電圧が上昇するが、鉛蓄電池セルの満充電電圧は２．２Ｖであるから、組電池３の満充電電圧は５５．０Ｖである。また、組電池３は放電すると電圧が低下するが、放電終止電圧として設定された電圧を下回って放電を継続すると蓄電池が劣化する。この鉛蓄電池セルの放電終止電圧は１．７Ｖであるから、組電池３の放電終止電圧は４２．５Ｖである。
【００２５】
充放電器４は、整流器２が出力する電力を入力して組電池３を充電し、あるいは、組電池３が出力する電力を入力して負荷５へ給電する。
【００２６】
商用電源１が有効であるとき、整流器２が出力する電力が負荷５へ供給され、必要に応じて、充放電器４の動作により組電池３が充電される。
【００２７】
商用電源１の停電時には、組電池３が充放電器４を介して放電し、負荷５への電力供給を継続する。
【００２８】
充放電器４は、降圧回路６と切替回路７から構成される。
【００２９】
降圧回路６は、スイッチング素子１０、リアクトル１１、コンデンサ１２、ダイオード１３、制御部１４により構成され、制御部１４からスイッチング素子１０へのＰＷＭ（Pulse  Width  Modulation：パルス幅変調）信号によるスイッチング動作により、入力した電力を降圧して出力する。
【００３０】
すなわち、降圧手段である降圧回路６は、パルス幅変調信号によってスイッチング動作を行うスイッチング素子１０と、前記降圧手段のプラス側の電路とマイナス側の電路との間にマイナス側の電路からプラス側の電路へ電流を流す向きに挿入されたダイオード１３と、リアクトル１１と、前記プラス側の電路と前記マイナス側の電路との間に挿入されたコンデンサ１２と、出力電流が流れる向きに接続されたダイオード１３とが、この順に接続されて構成され、入力される電力を降圧制御して出力する。
【００３１】
ＰＷＭ信号のＯＮ時間の比率はデューティー比と呼ばれ、デューティー比を下げる（ＯＦＦ時間の比率を上げる）ことにより出力電圧は低下し、デューティー比を上げる（ＯＮ時間の比率を上げる）ことにより出力電圧は上昇する。ただし、デューティー比は最高でも１００％にしかならず、このときスイッチング素子１０は短絡の状態であるため出力電圧は入力電圧からダイオード１３などの回路素子の電圧降下分（１．０Ｖ）だけ低い値となる。つまり、この回路は降圧するのみであるので、出力電圧は入力電圧より必ず低い。
【００３２】
切替回路７は、降圧回路６の入力、出力を、整流器２から負荷５への給電線と、組電池３のいずれかへ接続する。すなわち、充電時には、整流器２の出力を降圧回路６の入力とし、降圧回路６の出力を組電池３の入力として組電池３を充電し、放電時には、組電池３の出力を降圧回路６の入力とし、降圧回路６の出力を負荷５へ供給する。
【００３３】
整流器２から負荷５への給電線（＋）を降圧回路６の入力（＋）に接続し、組電池３（＋）を出力（＋）に接続するとき、整流器２から組電池３を充電することができるから、これを充電時の接続８とする。
【００３４】
また、組電池３（＋）を降圧回路６の入力（＋）に接続し、整流器２から負荷５への給電線（＋）を出力（＋）に接続するとき、組電池３は負荷５へ放電することができるから、これを放電時の接続９とする。
【００３５】
降圧回路６のマイナス側では入出力の切替を行っていないのは、降圧回路６内のマイナス側給電線には回路素子がなく、入出力の反転が必要ないからである。つまり、切替回路７において、充電時の接続８であるとき充放電器４は充電モードであり、放電時の接続９であるとき放電モードである。
【００３６】
さらに、切替回路７の切替機能は、例えば図２に示すように、スイッチング素子１５を使って構成することができる。充電時の接続８のとき、スイッチング素子１５ａ、１５ｂを閉成、１５ｃ、１５ｄを開放とし、放電時の接続９のとき、スイッチング素子１５ａ、１５ｂを開放、１５ｃ、１５ｄを閉成とすればよい。ここで、スイッチング素子１５の開閉操作は、制御部１４がスィッチング素子１５の制御用電極へ信号を生成したり消去したりすることにより可能である。
【００３７】
切替回路７の切替動作は、例えば、外部信号である充電指令信号の有無に応じて行わる。すなわち、充放電器４が充電指令信号を受信しているとき、整流器２が出力する電力を、降圧回路６を介して組電池３へ供給して組電池３を充電し、充電指令信号を受信していないとき、組電池３が出力する電力を、降圧回路６を介して負荷５へ供給しうる状態とする。ただし、商用電源１が有効である間は、降圧回路６の出力電圧は整流器２の出力電圧よりも低いから、組電池３が電力を出力することはない。
【００３８】
（放電モードの動作）
放電モードにおいて、組電池３が出力する電力は、充放電器４を介して負荷５へ供給される。ここで、降圧回路６のスイッチング素子１０が短絡のままであると、負荷５が要求する電力によっては放電電流が過剰になる場合があり、放電可能な電流を超えて電池を劣化させる要因となるため、スイッチング素子１０をスイッチング動作させることにより電流を制限する。制御部１４は、降圧回路６の出力電流を監視し、出力電流が６０Ａ（Ｉ１、あらかじめ定められた第１の電流値）を超えるときデューティー比を下げて出力電圧を急激に垂下させ、６０Ａ（Ｉ１、第１の電流値）以下のときはデューティー比を上げて出力電圧を上昇させる。これによって、充放電器４の出力電流をあらかじめ定められた第１の電流値以下に制限することができる。
【００３９】
降圧回路６の出力電流が６０Ａ（Ｉ１、第１の電流値）以下であるときは、デューティー比が１００％まで上昇してスイッチング素子１０は短絡の状態となり、組電池３の電圧から充放電器４の電圧降下分（１．０Ｖ）を差し引いた電圧が負荷５へ印加される。組電池３の満充電電圧は５５Ｖであるから、負荷５への印加電圧は５４Ｖ以下である。
【００４０】
降圧回路６の出力電流が６０Ａ（Ｉｌ、第１の電流値）を超えるとき、垂下により出力電圧が急激に低下し、放電電流が減少して組電池３からの過電流出力が防止される。
【００４１】
また、組電池３の電圧が４２．５Ｖ（放電終止電圧）を下回ったとき、スイッチング素子１０へのＰＷＭ信号のデューティー比を０として（スイッチング素子１０は開放となる）、組電池３の放電を停止させる（組電池３からの電力出力を停止させる）ことができる。
【００４２】
（充電モードの動作）
切替回路７の制御部１４が外部信号を受けることにより、充電モードとなる。充電モードにおいて、組電池３は、整流器２が出力する電力により充放電器４を介して充電される。ここで、降圧回路６のスイッチング素子１０が短絡のままであると、充電電流が過剰になり電池を劣化させる要因となるため、スイッチング素子１０をスイッチング動作させることにより電流を制限する。制御部１４は、降圧回路６の出力電流を監視し、出力電流が２０Ａ（Ｉ２、あらかじめ定められた第２の電流値）を超えるときデューティー比を下げて出力電圧を急激に垂下させ、２０Ａ（Ｉ２、第２の電流値）以下のときはデューティー比を上げて出力電圧を上昇させるため、組電池３の電圧が低いとき（充電の初期）、出力電流は２０Ａ（Ｉ２、第２の電流値）に維持される。
【００４３】
このように、充電電流が２０Ａ（Ｉ２、第２の電流値）に維持されながら組電池３は充電されるが、組電池３の電圧は充電に伴って電圧が上昇する。整流器２の出力電圧（５６Ｖ）から充放電器４の最低電圧降下（１．０Ｖ）を差し引いた値（５５Ｖ）が最高充電電圧（組電池３の満充電電圧に一致させている）であり、組電池３の電圧がこの値に達するとき、充電電流が２０Ａを超えなくなり、デューティー比は１００％まで上昇してスイッチング素子１０は短絡の状態となる。このようにして、充放電器４の出力電流をあらかじめ定められた第２の電流値以下に制限することができる。このまま充電を継続すると、充電電流が低下し、満充電電圧に達したとき自然に充電が停止するが、外部信号がリセットされることにより充電モードが終了して放電モードに戻る。
【００４４】
組電池３の電圧が一定値に達した場合、一定時間が経過した場合、組電池３の温度が上昇した場合など、充電を停止させる必要があるとき、充電を指令する信号をリセットすることにより、充電を停止し放電モードに戻すことができる。
【００４５】
以上に説明したように、図１は、本発明に係る、充放電器を用いた電源装置の実施の形態例を示しており、この電源装置は、交流電力を直流電力に変換して出力する整流器２と、１つ以上の蓄電池を組合わせてなる組電池３と、充放電器４とを具備し、前記交流電力が有効であるときは整流器２の出力を負荷５に供給する電源装置であり、
本発明に係る充放電器である充放電器４は、降圧手段である降圧回路６と、充電時と放電時とで接続を切替える切替手段である切替回路７とを具備し、充電時には、整流器２が出力する電力を、降圧回路６を介して組電池３へ供給して組電池３を充電するように切替回路７が接続を切替え、放電時には、組電池３が出力する電力を降圧回路６を介して負荷５へ供給するように切替回路７が接続を切替える。
【００４６】
以上のように、充放電器４内の降圧回路６の入出力を入れ替えることにより、組電池３の充電と放電を共通の回路で行うことができ、充電器と放電器をそれぞれ備える必要がなく、コストと設置スペースを節約することができる。
【００４７】
本実施の形態例においては、降圧回路６を、図１に示すスイッチング素子、リアクトル、コンデンサ、ダイオードにより構成される回路としたが、降圧機能と出力電流を一定に保つ機能を有する回路であれば別の回路であってもよい。
【００４８】
また、本実施の形態例においては、充放電器４、組電池３を１つずつ有するシステムに適用しているが、充放電器４、組電池３を複数組搭載したシステム（図３）においても適用可能である。６組の組電池３を、それぞれに対となる本発明の充放電器４を介して並列接続し、整流器２から負荷５への給電線に並列接続すればよい。組電池３（充放電器４）の並列数により容易にバックアップ容量を調整することができる。さらに、全ての充放電器４を同時に充電モードにするのではなく、一部だけを充電モードとし、残りを放電モードのままにすることによって、充電中に停電が発生して整流器２が停止した場合でも、充電モードにあった充放電器４を放電モードヘ戻す間は元から放電モードであった充放電器４が負荷５への給電を担うことで、一時的な供給断も防ぐことが可能である。
【００４９】
また、一組の組電池の場合も含めて、充電中に停電が発生した場合、停電検知信号（図１の外部信号の具体例）を受けて、制御部１４が、充電モードから放電モードへの切替えを行うこともできる。
【００５０】
本実施の形態例においては、切替回路７を、スイッチング素子１５により構成しているが、充電モードのときは充電時の接続８、放電モードのときは放電時の接続９とできれば、必ずしもスイッチング素子を用いる必要はない。別の方法としては、例えば継電器（リレー）を用いる方法がある。
【００５１】
本実施の形態例においては、降圧回路６と切替回路７がそれぞれスイッチング素子１０、１５を持つが、切替回路７のスイッチング素子１５の一部が降圧回路６のスイッチング素子１０の機能を兼ねることによりスイッチング素子１０を省略することも可能である。すなわち、図４に示すように、降圧回路６内のスイッチング素子１０を省略し、その代わりにパルス幅変調信号によるスイッチング動作を、充電モードにあってはスイッチング素子１５ａが、放電モードにあってはスイッチング素子１５ｃが担うようにすればよい。スイッチング素子１５ａ、１５ｃは、他のスイッチング素子を介さずに降圧回路６の入力端に接続するスイッチング素子である。ここで、スイッチング素子１５ｂは充電モードで閉成、放電モードで開放であり、スイッチング素子１５ｄは充電モードで開放、放電モードで閉成である。
【００５２】
さらに、本実施の形態例においては、降圧回路６内の回路素子はプラス側（＋）に接続されているため、切替回路７もプラス側でのみ構成しているが、降圧回路６内の回路素子をマイナス側（−）に接続し、切替回路７もマイナス側でのみ構成する方法も可能である。
【００５３】
なお、本発明に係る充放電器は、本願ではバックアップ電源装置に組み込む使用形態としたが、高電圧装置からの給電をバッファリングしながら段階的に低電圧出力に変換する電力系統システムや、所要電圧の異なる異種の電源系を電圧整合させて系統連携することなどにも適用することができる。
【００５４】
以下に、本発明によって生じる効果について説明する。
【００５５】
蓄電池の充放電を行うシステムでは、充電時の過剰な充電電流を防止するための充電器が必要であり、放電時の過剰な放電電流の防止と放電停止機能のための放電器が必要であるため、充電器と放電器とを両方搭載することによるコストと設置スペースの増加という問題がある。
【００５６】
本発明の実施により、１つの変換回路が充電器と放電器との両方の機能を持つため、充電器と放電器をそれぞれ搭載する必要がなく、コストとスペースを節約することが可能となる。
【図面の簡単な説明】
【００５７】
【図１】本発明の実施の形態例を説明する図である。
【図２】本発明の実施の形態例を説明する図である。
【図３】本発明の実施の形態例を説明する図である。
【図４】本発明の実施の形態例を説明する図である。
【図５】充電器と放電器とを両方搭載する直流バックアップ電源システムの構成図である。
【符号の説明】
【００５８】
１：商用電源、２：整流器、３：組電池、４：充放電器、５：負荷、６：降圧回路、７：切替回路、８：充電時の接続、９：放電時の接続、１０：スイッチング素子、１１：リアクトル、１２：コンデンサ、１３：ダイオード、１４：制御部、１５、１５ａ、１５ｂ、１５ｃ、１５ｄ：スイッチング素子、１６：充電器、１７：放電器。
【図１】
2009148110.tif 000003
【図２】
2009148110.tif 000004
【図３】
2009148110.tif 000005
【図４】
2009148110.tif 000006
【図５】
2009148110.tif 000007